(57)【特許請求の範囲】
【請求項１】
フレーム（３）をカバーする前ドア（８）、後壁（９）、二つの側壁（１０，１１）、頂部（１２）及び底部（１３）とコーナコネクタ（７）によって相互接続された幅方向枠材（４）、奥行き方向枠材（５）および高さ方向枠材（６）から形成されたフレーム（３）を有し、
前記前ドア（８）は、前記前ドア（８）に備えられる上部および下部ヒンジピン（１５）と前記上部および下部コーナコネクタ（７）内に備えられるヒンジピンレセプタクル（１７）とを含むヒンジシステムによって関節接続されている構成の電気部品、電子部品及び器具用の器具保管庫において、
前記側壁（１０，１１）および後壁（９）は、前記前ドア（８）と同様に、ヒンジピン（１５）を有し、カバー位置から前記器具および部品の搬入または搬出を行う開放位置に回動可能であり、
所望に応じて前記前ドア（８）、後壁（９）および側壁（１０，１１）を関節接続するために、各コーナコネクタ（７）は二つのヒンジピンレセプタクル（１７，１８）を備えることを特徴とする保管庫。
【請求項２】
請求項１に記載された保管庫において、
前記各コーナコネクタ（７）は肩部（１４）を有し、前記二つのヒンジピンレセプタクル（１７，１８）は前記肩部（１４）に形成されることを特徴とする保管庫。
【請求項３】
請求項１または２に記載された保管庫において、
前記前ドア（８）、後壁（９）および側壁（１１，１２）の前記ヒンジピン（１５）は、各々の内側に位置し、少なくとも前記側壁（１１，１２）の前記ヒンジピン（１５）は、前記後壁（９）または前ドア（８）が開いた時のみ操作可能であることを特徴とする保管庫。
【請求項４】
請求項１，２又は３のいずれか一つに記載された保管庫において、
前記ヒンジピン（１５）の各々はヒンジピンガイド（１９）によって案内され、前記特定のヒンジピンレセプタクル（１７，１８）内のバネ動作によって保持されることを特徴とする保管庫。
【請求項５】
請求項１ないし４のいずれか一つに記載された保管庫において、
少なくとも、両二つの縦側面の前記側壁（１１，１２）の各々は、前記ヒンジシステムを任意の面に設置するための上部および下部のヒンジピン（１５）を有し、各々の他方の縦側面のヒンジピン（１５）は、前記側壁（１１，１２）を固定するため前記ヒンジピンレセプタクル（１７，１８）に嵌合し、また内側からのみ解放できることを特徴する保管庫。
【請求項６】
請求項２ないし５のいずれか一つに記載された保管庫において、
前記コーナコネクタ（７）の前記肩部（１４）は、舌状の構造を有し、前記ヒンジピン側において約１８０度までの回動角の回動領域（２０）を、前記二つのカバー部分（８，９，１０，１１）の一方に有することを特徴する保管庫。
【請求項７】
請求項１ないし６のいずれか一つに記載された保管庫において、
少なくとも奥行き方向枠材（５）および幅方向枠材（４）を受け入れる前記コーナコネクタ（７）の各々は少なくとも一つの差し込みラグ（２１，２２）を備えて構成され、前記高さ方向枠材（６）は直接的または間接的に前記コーナコネクタに固定されることを特徴する保管庫。
【請求項８】
請求項１ないし７のいずれか一つに記載された保管庫において、
前記幅方向枠材（４）、奥行き方向枠材（５）および高さ方向枠材（６）は三角形の断面形状を有する枠材であり、前記差し込みラグ（２１，２２）は前記三角形の断面形状を有する枠材を受け止め固定するために構成されることを特徴する保管庫。
【請求項９】
請求項８に記載された保管庫において、
三角形の断面形状を有する幅方向枠材（４）および奥行き方向枠材（５）の各々を搭載するために、それぞれの枠材に対して二つの差し込みラグ（２１，２２）が設けられ、前記二つの差し込みラグ（２１，２２）はそれぞれ異なる構造を有し、前記三角形の断面形状を有する幅方向枠材（４）および奥行き方向枠材（５）の外向きの鋭角領域内に挿入可能であることを特徴する保管庫。
【請求項１０】
請求項１ないし９のいずれか一つに記載された保管庫において、
前記コーナコネクタ（７）の各々は、前記頂部（１２）または底部（１３）において取り付けるための取り付けタブ（２３）を有することを特徴する保管庫。
【請求項１１】
請求項１０に記載された保管庫において、
前記取り付けタブ（２３）は、前記コーナコネクタ（７）に、内向き、且つ、水平方向に向けて配置されることを特徴する保管庫。
【発明の詳細な説明】
【０００１】
【発明の属する技術分野】
この発明は、保管庫に関し、特に、コーナコネクタによって相互接続された、幅方向枠材、奥行き方向枠材、および高さ方向枠材で形成されたフレームをもつと共に、フレームをカバーすなわち表装する、前ドア、後壁、二つの側壁、頂部、および底部をもつ、電気および電気部品、器具用の器具保管庫に関する。前記前ドアは、前ドア表面に下部および上部ヒンジピンを備え、上部および下部コーナコネクタ内にヒンジピンを収容し固定するヒンジピンレセプタクルを備えたヒンジシステムによって接続される（以下、この接続を関節接続という）。
【０００２】
【従来の技術】
ドイツ特許第２９７  １１  ２６２．７  Ｕ１号に、前および後ドアと同様にカバードアとして作製された側部であって、各側部は高さ方向支持用枠材に関節接続されている器具保管庫が開示されている。支持用枠材はカバー部分のコーナ領域を形成し、さらに部品、器具等の収納領域を画定する自己支持性フレームを受け入れるように作製されている。ヒンジ接続は、末端領域にヒンジピンを受け入れる中心開口が形成された支持用枠材を用いて行われる。ヒンジピンレセプタクルは、上部および下部の側面カバーに形成されている。
【０００３】
また、公知の器具保管庫として欧州特許第７８９  ９８５  Ｂ１号に示されたものがある。幅方向、奥行き方向および高さ方向のフレーム枠材は、多重に曲げられ且つ二つの同形のレセプタクルを有した中空の断面の枠材で作製され、ほぼ４５度の角度の接続領域によって接続されている。二つのレセプタクルの各々には、ほぼ正方形のコーナコネクタの突出部である差込みラグが嵌合する。高さ方向枠材が４５度の角度の接続領域をもつためコーナコネクタは突き出ている。また、右方および左方への関節接続および対応する前ドアの固定のために、コーナコネクタにヒンジピンレセプタクルまたは固定ボルトレセプタクルが備わっている。ヒンジピンまたは固定ボルトは前ドアによって案内される。側壁と後壁、および頂部と底部のプレートは、コーナコネクタに堅固にネジ止めされる。コーナコネクタ部分がフレームの外端となるため、堅固にネジ止めされたカバー部にはセットバック(set back)接触面が必要になる。
【０００４】
加えて、前ドアおよび堅固にネジ止めされた側壁と後壁には、コーナコネクタとの緊密な結合が得られるように、面取りされたコーナ領域が設けられる。さらに、これらの構造的な不都合さに加えて、スイッチ(switch)保管庫の収納領域への搬入およびその中に収容された器具および部品の搬出は、前ドアによってしか行うことができない、という不都合さがある。
【０００５】
【発明が解決しようとする課題】
本発明の目的は、保管庫、特に、顕著に簡単な構造および最適な収納領域への搬入および搬出性能に加えて、不正な開放に対する高いセキュリティが得られる器具保管庫を作製することである。
【０００６】
【課題を解決するための手段】
本発明によれば、側壁および後壁をカバードアとして構成したことにより、全面からの搬入および搬出を行うことができるようになる。ごく簡単な構造では、前ドアを右方または左方のいずれにも関節接続させることができると共に、ヒンジシステムがコーナコネクタに一体化されていて後壁および側壁は二つの回動ピンをもち、下部および関連する上部コーナコネクタは各々二つのヒンジピンを受け入れるように作製されている。ヒンジの軸は互いに平行である。
【０００７】
好ましくは、各コーナコネクタは外側に肩部をもち、前記肩部には、例えばヒンジピンと相補形状に作製されて、かつコーナ領域の角度二等分線から等距離に間隔を置いた孔などの、二つのヒンジピンレセプタクルが形成される。
【０００８】
要求されるセキュリティのコンセプトは、上部および下部のヒンジピンは器具保管庫の内側からのみ（すなわち前ドアまたは後壁または後ドアを開けた後で）操作可能で、それにより初めて側壁を開けることができるということに依っている。
【０００９】
前ドアおよび後壁または後ドアのヒンジ側を必要に応じて選択することができて、必要な場合にはきわめて簡単な方法で修正することができることは、著しく好都合である。
【００１０】
コーナコネクタの肩部のヒンジピンレセプタクルを用いて固定ボルトまたは固定バーを受け入れることができることは好都合である。
【００１１】
好ましくは、側壁の両方の縦面の各々に上部および下部のヒンジピンが設けられる。これらのヒンジピンは、内側からのみ操作可能すなわち高さ方向に調整可能であり、いずれの面も関節接続することができる。したがって、ヒンジピンは、一方の縦面では回動軸構造の一部として機能し、反対の面では固定ピンとして機能することができる。ヒンジピンと固定ピンとに、例えば約９０度に曲げられた端部領域などのハンドルを設けた場合は、特に簡単で操作性のよい作業を行うことができる。
【００１２】
ごく簡単な構造では、ヒンジピン固定具は、前ドアおよび後壁に加えて側壁の内側にも設けられる。好ましくは、一つ以上のヒンジピンガイドが備わって、コーナコネクタの肩部のヒンジピンレセプタクルにヒンジピンを堅固に保持するために、このガイドはピンに力を及ぼすバネであることが好ましい。コーナコネクタ肩部のヒンジピンレセプタクルからのヒンジピンの解放および引き抜きは、バネ力に抗して行われる。
【００１３】
好適な構造では、コーナコネクタの肩部はほぼ舌状の形状をもち、コーナコネクタの約半分の高さに面取りされた、頂部または底部の上部または下部の接触領域から延びる。外向きの肩部にはアールが付けられる。カバー部分またはカバー部分内のヒンジピンの方向に回動領域が設けられる。上部および下部のコーナコネクタに二つのカバー部分を関節接続する場合、一方のカバー部分が約１８０度までの開口角をもつことは著しく好都合である。この状態でも第二のカバー部分は約９０度まで開くことができる。
【００１４】
肩部を覆って内向きに、取り付けタブがコーナコネクタ表面に設けられる。この取り付けタブは、頂部または底部を良好に受け入れて固定する働きをする。外側の肩部と同様に、取り付けタブはコーナ領域の角度二等分線上に位置し、固定ネジを受け入れる少なくとも一つの固定用開口を良好に有する。
【００１５】
フレームは、正方形または長方形の断面を有し、レール、側面（profile）およびその他の部品を固定する縦溝を有した枠材をもつ。特に効果的な構造では、本発明による保管庫のフレームは三角形の断面の枠材をもち、高さ方向枠材によって相互接続された、奥行き方向と幅方向の枠材およびコーナコネクタが上部および下部のフレーム部材を形成する。ドイツ特許出願第１００  ２１  ７１９．２号および１００  ２１  ７１８．４号を参照すると、三角形の断面の枠材とコーナコネクタとで形成されたフレームについての記載がある。コーナコネクタの差し込みラグの各々は、ある特定の発明形態において、二つの部分内に存在し、幅方向および奥行き方向の枠材の外向きのる鋭角領域に受け入れられる。枠材は、コーナコネクタの一つまたは二つの差し込みラグに直接固定されるか、あるいは締め付け手段を用いて間接的に固定される。枠材の接続については、前述の二つのドイツ特許出願を参考にしている。
【００１６】
以下、添付図面と関連させて本発明をより詳細に説明する。
【００１７】
【発明の実施の形態】
図１に、電気および電子部品、器具、およびモジュール（図示せず）を収納する、小型の器具保管庫の働きをする保管庫２を示す。
【００１８】
器具保管庫２は、コーナコネクタ７（図２〜５参照）によって相互接続された幅方向枠材４、奥行き方向枠材５および高さ方向枠材６をもつフレーム３を有する。保管庫２を表装すなわちカバーするために、前ドア８、後壁９、二つの側壁１０，１１、頂部１２および底部１３が備えられている。
【００１９】
図１に、前ドア８、後壁９、および開位置の右側壁１０と閉位置の左側壁１１とを示す。カバー位置においてカバー部分８〜１２はフレーム３上を覆い、各々は相補形状のコーナ領域によって実質的に結合し合っている。
【００２０】
回動可能に関節接続されたカバー部分、すなわち側壁１０，１１、後壁９、および前ドア８のヒンジシステムはコーナコネクタ７内に一体化される。このためにコーナコネクタ７は、各カバー部分８〜１１が所望に応じて保管庫２の周囲部に関節接続され、かつ１８０度までの開位置が得られるように設置および形成された肩部１４をもつ。これにより、保管庫２の収納領域およびその領域に位置する器具、部品等（図示せず）へのきわめて良好な搬入および搬出性能が得られる。図１の保管庫２において、前ドア８および右側壁１０は、上部および下部のコーナコネクタ７内に一体化された図示しないヒンジシステムによって回動可能にされており、約１８０度の開口角での側壁１０の開位置においても前ドア８は約９０度の開口角をもつこと、またその逆も同様であることは明らかである。
【００２１】
並置した二つのカバー部分用の二つの回動ピンまたは軸の構造には、上部および下部のコーナコネクタ７の肩部１４内の二つのヒンジピンレセプタクル１７，１８（図３および４参照）と、側壁１０，１１、前ドア８、および後壁９の内側のコーナ領域に位置したヒンジピンとが含まれる。
【００２２】
図２に、側壁１１の上部の後方のヒンジシステムを示す。Ｌ形に曲げられた横方向端部領域２９および直角に曲げられた縦方向端部領域３９をもつ側壁１１に加えて、高さ方向枠材６および頂部１２によってほぼ完全にカバーされた上部コーナコネクタ７の肩部１４が示されている。側壁１１の内側でかつ端部領域２９，３９のごく近傍に、ヒンジピン１５の固定プレート１６が固定される。ヒンジピン１５は、固定プレート１６の下部および上部ヒンジピンガイド１９によって案内されて、圧縮バネ２７により動作位置に固定される。ヒンジピン１５にはハンドル４０が付いていて、バネ力に抗して（この場合は下向きに）調整することによりコーナコネクタの肩部１４の二つのヒンジピンレセプタクル１７，１８の一方との嵌合が外れるようになっている。側壁１１の下部および上部ヒンジピン１５を同時に引き抜けば、側壁１１を、図２に示したヒンジシステムと同構造に作製された、前部回動軸を支点として開放させることができる。ヒンジピン１５の操作およびその結果による側壁１０，１１の開放は、前ドア８または後壁９が開いた時のみ可能であることは、著しく好都合である。これにより外部からの不正な開放を効果的に防止することができる。
【００２３】
図３〜５に示したコーナコネクタの構造は、フレーム３に使用される幅方向と奥行き方向の枠材４，５（図６参照）および高さ方向の枠材６（図７参照）に対応している。図３によれば、コーナコネクタ７は平面図上でほぼ長方形であり、幅方向枠材４および奥行き方向枠材５の各々を受け入れるための二つの差し込みラグ２１，２２を備えて作製される。差し込みラグ２１，２２はそれぞれ異なる形であって、幅方向枠材４または奥行き方向枠材５の受け入れ領域４１，４２（図６）に挿入されるように作製されている。図４に、頂部側のフレーム表面で差し込みラグ２１，２２が幅方向枠材４を受け入れた状態を示す。
【００２４】
図３〜５の上部コーナコネクタ７の肩部１４は、４５度の角度すなわちコーナ領域の角度二等分線の延長線上に外向きに配置され、かつ角度二等分線から等距離に位置した二つのヒンジピンレセプタクル１７，１８をもつ。このレセプタクルによって、二つのカバー部分８〜１１を保管庫２のコーナ領域に関節接続することができる。肩部１４は、舌または屋根状の形状をもち、上部支柱領域２４から外向きに傾斜して、コーナコネクタ７のほぼ半分の高さに亘って延びている（図４および５参照）。肩部１４の下に二つのカバー部分の回動領域２０が形成される。コーナコネクタ７は中心に孔２８を有し、この孔２８を用いて、高さ方向枠材６を接続する図示しない固定部材が受け入れられる。高さ方向枠材６（図７）には相補形状の固定用孔４８が形成され、この孔４８は、高さ方向枠材６の固定位置でコーナコネクタ７の孔２８と位置整合する。また、高さ方向枠材６をコーナコネクタ７に固定するために差し込み部３１，３２が形成され、この部品は高さ方向枠材６の受け入れ領域４３，４４に嵌合する。
【００２５】
また、コーナコネクタ７の表面に、ブロック状の形をした、内向きで肩部１４とは逆向きの取り付けタブ２３が形成される。支柱領域２４と前記取り付けタブ２３とは同一平面を形成して、頂部１２または底部１３を支持および固定する（図１を併せて参照）。このために、固定用開口２５が設けられ、この開口によって固定用部品４５が案内され固定される（図１参照）。
【００２６】
図６および７に示した三角形の枠材は、図１の保管庫２のフレーム３用として使用することができる。これら枠材は断面が直角三角形の形で作製され、側方向の面３４，３５は直角をなしていて、各々が器具保管庫の内側を向いている。幅方向および奥行き方向の枠材４，５の、高さ方向に設置された側方向の面３４には固定用溝３６が設けられる。
【００２７】
高さ方向枠材６（図７）は、本質的に図６の枠材に対応している。固定用孔４８は、上部および下部のコーナコネクタ７への固定のために縦向きに配置される。外側に溝３７が形成されており、この溝は特に、搭載部品の収納、および例えばシール用帯片などのシール材料の収納、およびＩＰタイト(IP-tight)または電磁シールド付与のいずれかまたは両方の構成の保管庫の作製のために使用される。内側の溝３８は前記直角の領域での追加溝掘り加工によって形成され、溝３７と同様にこの溝３８を用いて、搭載部品または封止用帯片の収納、あるいは前ドアまたは後壁または後ドアの近傍での固定用レバーまたは該当する図示しない機器の収納が行われる。
【図面の簡単な説明】
【図１】  本発明による器具保管庫を示す図である。
【図２】  図１の保管庫の側壁のヒンジシステムを示す図である。
【図３】  本器具保管庫のコーナコネクタの平面図である。
【図４】  図３の矢印ＩＶの方向からの図である。
【図５】  図３のラインＶ−Ｖに沿った、コーナコネクタの断面図である。
【図６】  本フレームの奥行き方向または幅方向の枠材の断面図である。
【図７】  本フレームの高さ方向の枠材の断面図である。
【符号の説明】
２  保管庫、３  フレーム、４  幅方向枠材、５  奥行き方向枠材、６  高さ方向枠材、７  コーナコネクタ、８  前ドア、９  後壁、１０，１１  側壁、１２  頂部、１３  底部、１４  肩部、１５  ヒンジピン、１６  固定プレート、１７，１８  ヒンジピンレセプタクル、２０  回動領域、２１，２２  差し込みラグ、２３  取り付けタブ、２４  支柱領域、２５  固定用開口、２８  孔、３１，３２  差し込み用部品、３４，３５  側方向の面、３６，３７，３８  溝、４１，４２，４３，４４  受け入れ領域、４５  固定用部品、４８  固定用孔。
【図１】
0003655863.tif 000002
【図２】
0003655863.tif 000003
【図３】
0003655863.tif 000004
【図４】
0003655863.tif 000005
【図５】
0003655863.tif 000006
【図６】
0003655863.tif 000007
【図７】
0003655863.tif 000008